(57)【要約】【課題】  購入した商品の情報をインターネットなどを介して簡単に取り込めるようにする。【解決方法】  顧客が購入した商品１に対する金銭の決済を行う時に使用するレジスター２に前記商品１の情報が記憶されているデータベース３とレジスター２の情報を記憶するＷｅｂサーバー４とが接続され、このＷｅｂサーバー４とインターネット７が接続されているネットワークシステムにおいて、顧客が商品１を購入した時のレシート２ａの情報と前記データベース３に記憶している商品１の情報とをレジスター２ａで合わせ商品情報２ｂとし、この商品情報２ｂをインターネット７を介して発信できるようＷｅｂサーバー４に記憶し、前記レシート２ａにアクセス先を入力することにより購入した商品１の商品情報２ｂをインターネット７を介して入手できるようにする。【選択図】  図１
2005092280.tif 000002
【特許請求の範囲】
【請求項１】
顧客が購入した商品（１）に対する金銭の決済を行う時に使用するレジスター（２）に前記商品（１）の名称、価格などの情報が記憶されているデータベース（３）とレジスター（２）の情報を記憶するＷｅｂサーバー（４）とが接続され、このＷｅｂサーバー（４）とインターネット（７）が接続されているネットワークシステムにおいて、顧客が商品（１）を購入した時のレシート（２ａ）の情報と前記データベース（３）に記憶している商品（１）の情報とをレジスター（２）で合わせ商品情報（２ｂ）とし、この商品情報（２ｂ）をインターネット（７）を介して発信できるようＷｅｂサーバー（４）に記憶し、前記レシート（２ａ）にアクセス先を入力することにより購入した商品（１）の商品情報（２ｂ）をインターネット（７）を介して入手できることを特徴としたネットワークシステム。
【請求項２】
顧客のメールアドレスに顧客が商品（１）を購入したときレジスター（２）で作成される商品（１）の前記商品情報（２ｂ）を発信することができることを特徴とした請求項１記載のネットワークシステム。
【請求項３】
レジスター（２）に情報発信装置（６）を設け、商品（１）を購入したときレジスター（２）で作成される商品（１）の商品情報（２ｂ）を顧客の外部記憶装置（５）に前記情報発信装置（６）から直接受信できることを特徴とした請求項１記載のネットワークシステム。
【請求項４】
顧客が購入した商品（１）の商品情報（２ｂ）をインターネット（７）もしくは前記外部記憶装置（５）よりパソコン（９）にダウンロードすることができたり、インターネット（７）に接続された高周波加熱装置（１０ａ）や冷蔵庫（１０ｂ）などの家電品（１０）にも直接、前記商品情報（２ｂ）をダウンロードすることができるとともに、パソコン（９）と家電品（１０）間、家電品（１０）と家電品（１０）間で前記商品情報（２ｂ）を共用することができ、さらに個々の家電品（１０）で前記商品情報（２ｂ）を管理することができることを特徴とする請求項１記載のネットワークシステム。
【発明の詳細な説明】
【技術分野】
【０００１】
本発明は、インターネットを介して商品の情報伝達を行なうネットワークシステムに関するものである。
【背景技術】
【０００２】
顧客がパソコンを利用して家計簿を作成する時、商品代金を支払ったとき発行されるレシート見ながら品名、数量、金額などを入力する必要がある。また、冷蔵庫の中の食品在庫管理を行うのに、冷蔵庫にキー入力装置を設け食品名、数量、賞味期限を入力したり、特開平０９−１１９７６８号公報に開示されているようなバーコード入力装置を取り付け、食品の包装に印刷されているバーコードのデータから食品名などを入力していたものであった。
【０００３】
また、無線チップの小型化から、無線チップを食品の包装に付け、食品を冷蔵庫内に入れることで、冷蔵庫と食品問で無線により食品情報を冷蔵庫に伝達するものであった。
【０００４】
高周波加熱装置にあっては食品の説明書に書いてある加熱方法と加熱時間をキー入力したり、特開２００２−２９８２１８号公報で開示されているようにバーコードに記載されている加熱情報を高周波加熱装置に取り組み加熱調理するものがあった。
【０００５】
【特許文献１】特開平０９−１１９７６８号公報
【０００６】
【特許文献２】特開２００２−２９８２１８号公報
【発明の開示】
【発明が解決しようとする課題】
【０００７】
上記従来の技術にあっては、キー入力装置を使用して一つ一つの商品の情報をすべて入力するため多大な時間を要し、大変手問になるという問題があった。
【０００８】
また、各商品にバーコードの端末を設置したり、無線チップを使用する場合は各商品の単価上昇を招いたり、特に無線チップを各商品に付けることは、大変なコストアップにつながってしまう問題があった。
【０００９】
また、これらの情報は製造時点のものであり、最新情報に変更することができないという問題があった。
【課題を解決するための手段】
【００１０】
本発明は上述の課題を解決するためになされたものであり、具体的には、顧客が購入した商品に対する金銭の決済を行う時に使用するレジスターに前記商品の名称、価格などの情報が記憶されているデータベースとレジスターの情報を記憶するＷｅｂサーバーとが接続され、このＷｅｂサーバーとインターネットが接続されているネットワークシステムにおいて、顧客が商品を購入した時のレシートの情報と前記データベースに記憶している商品の情報とを合わせレジスターで商品情報とし、この商品情報をインターネットを介して発信できるようＷｅｂサーバーに記憶し、前記レシートにアクセス先を入力することにより購入した商品の商品情報をインターネットを介して入手できるようにしたものである。
【００１１】
また、顧客のメールアドレスに顧客が商品を購入したときレジスターで作成される商品の前記商品情報を発信することができるようにしたものである。
【００１２】
さらに、レジスターに情報発信装置を設け、商品を購入したときレジスターで作成される商品の商品情報を顧客の外部記憶装置に前記情報発信装置から直接受信できるようにしたものである。
【００１３】
また、顧客が購入した商品の商品情報をインターネットもしくは前記外部記憶装置よりパソコンにダウンロードすることができたり、インターネットに接続された高周波加熱装置や冷蔵庫などの家電品にも直接、前記商品情報をダウンロードすることができるとともに、パソコンと家電品間、家電品と家電品間で前記商品情報を共用することができ、さらに個々の家電品で前記商品情報を管理することができるようにしたものである。
【発明の効果】
【００１４】
以上説明したように、本発明によれば、顧客が購入した商品に対する金銭の決済を行う時に使用するレジスターに前記商品の名称や価格などの情報が記憶されているデータベースとレジスターの情報を記憶するＷｅｂサーバーとが接続され、このＷｅｂサーバーとインターネットが接続されているネットワークシステムにおいて、顧客が商品を購入した時のレシートの情報と前記データベースに記憶している商品の情報とを合わせレジスターで商品情報とし、この商品情報をインターネットを介して発信できるようＷｅｂサーバーに記憶し、前記レシートにアクセス先を入力することにより購入した商品の商品情報をインターネットを介して入手できるようにしたものである。
【００１５】
また、顧客のメールアドレスに顧客が商品を購入したときレジスターで作成される商品の前記商品情報を発信することができるようにしたものである。
【００１６】
さらに、レジスターに情報発信装置を設け、商品を購入したときレジスターで作成される商品の商品情報を顧客の外部記憶装置に前記情報発信装置から直接受信できるようにしたものである。
【００１７】
また、顧客が購入した商品の商品情報をインターネットもしくは前記外部記憶装置よりパソコンにダウンロードすることができたり、インターネットに接続された高周波加熱装置や冷蔵庫などの家電品にも直接、前記商品情報をダウンロードすることができるとともに、パソコンと家電品間、家電品と家電品間で前記商品情報を共用することができ、さらに個々の家電品で前記商品情報を管理することができるようにしたことにより家計簿をつけるときなど商品ごとにレシートから数量、金額などを読み取ってパソコンにインプットする手間が省け、能率向上が図られるとともに誤記入などの問題も少なくなるなどの効果がある。
【００１８】
また、高周波加熱装置で食品を加熱する場合でも最新情報が高周波加熱装置にインプットされるため失敗無くおいしい仕上りが可能となるなどの効果がある。
【００１９】
さらに、冷蔵庫においては最新の食品に関する情報が得られるため食品のベストの保存状態が可能となり食品の鮮度が保たれるなどの効果がある。
【発明を実施するための最良の形態】
【００２０】
以下、本発明の実施の形態について図に従って説明する。
【００２１】
図１はネットワークシステムのブロック図で、１は顧客が買い求める商品である。２は商品１に対する金銭の決済を行う時に使用するレジスターである。２ａは支払時に発行され商品１の決済項目が表示されているレシートである。
【００２２】
３はデータベースで、個々の商品１の情報である名称、価格、性能、特徴。メーカー名そしてメーカーのＷｅｂアドレスなどを記憶しているところである。２ｂはレジスター２で決済された商品情報で、データベース３での商品１の情報に売上日時、数量、売上金額などの情報が追加されたものである。
【００２３】
４はＷｅｂサーバーで、前記レジスター２で作成された商品情報２ｂを記憶しているところである。
【００２４】
５は持ち運び自由な外部記憶装置で、前記商品情報２ｂを記憶するものである。この外部記憶装置５には携帯電話や情報携帯端末などが使用される。６は情報発信装置で、レジスター２に接続され、レジスター２で作成される商品情報２ｂを前記外部記憶装置５に直接入力するところである。
【００２５】
７は通信ネットワークのインターネットである。Ｗｅｂサーバー４はこのインターネット７のネットワークに組込まれている。８はルーターで、インターネット７からの情報、あるいは下記に説明するパソコン、高周波加熱装置そして冷蔵庫などからの情報を相互接続するものである。
【００２６】
９はパソコンで、ルーター８を経てインターネット７に接続されている。従って、Ｗｅｂサーバー４から商品情報２ｂを取得し、これらを記憶したりすることができる。１０ａは高周波加熱装置で、パソコン９がインターネット７で取得した商品１の商品情報２ｂのうち食品１ａに関する加熱情報を取得し、食品１ａを加熱するものである。１０ｂは冷蔵庫で、高周波加熱装置１０ａと同じようにパソコン９やインターネット７から商品情報２ｂを入手したり、冷蔵庫１０ｂ庫内の情報を発信したりして、ここに収納されている食品１ａの管理をする。
【００２７】
食品１の商品情報２ｂは高周波加熱装置１０ａと冷蔵庫１０ｂとの間でも情報を共用することができる。なお高周波加熱装置１０ａと冷蔵庫１０ｂを総称して家電品１０と称す。
【００２８】
次に上記にて構成された本発明の作用について説明する。
【００２９】
顧客が商品１を求め、レジスター２で決済する。するとレジスター２は商品１の商品名、価格、調理の仕方、特徴、メーカー名（または問屋）あるいはそのＷｅｂアドレスなど商品１の情報が記憶されているデータベース３から引き出し、数量、金額などの必要項目を追加して商品情報２ｂとしてＷｅｂサーバー４へ送信し、ここに記憶保管される。
【００３０】
顧客は購入商品１の情報を得るためインターネット７に接続されたパソコン９を利用してＷｅｂサーバー４にアクセスし、領収書Ｎｏなどの整理番号を入力することで購入した商品１の商品情報２ｂを取得することができる。
【００３１】
この時、購入した商品１の商品情報２ｂが他人に知られるのを防ぐために顧客毎のパスワードなどのセキュリティを設けることも必要である。
【００３２】
このようにして取得した商品情報２ｂには商品名、単価、購入数量などが入力されているので、例えば家計簿をつける場合は必要事項を商品情報２ｂから取り出し簡単に家計簿を付けることができる。
【００３３】
また、パソコン９で収得した商品情報２ｂから食品１ａの加熱情報をパソコン９で編集し加熱情報としてルーター８を介して高周波加熱装置１０ａへ送信し高周波加熱装置１０ａに取り込む。
【００３４】
そして、高周波加熱装置１０ａに取り込まれた加熱情報は図２に示すように表示窓１０ａ１には“レンジ強  １２分”と表示され加熱機能、加熱時間が自動的にセットされる。加熱機能、加熱時間などは食品１ａや数量などにより変わるもので定まったものではない。
【００３５】
次に、ドア１０ａ２を開け、食品１ａを加熱室１０ａ３に載置し、ドア１０ａ２を閉じてから加熱スタートボタン１０ａ４を押すと加熱が始まり、所定の加熱時間に達すると加熱は終了する。
【００３６】
また、購入した冷凍食品（図示せず）を加熱する時に、高周波加熱装置１０ａからパソコン９もしくはＷｅｂサーバー４にアクセスして購入した前記冷凍食品の商品情報２ｂを取得し、この情報から食品メーカーのＷｅｂアドレスを利用して食品メーカーのホームページから前記冷凍食品の最適加熱方法を高周波加熱装置１０ａにダウンロードして、その情報をもとに高周波加熱装置１０ａは自動で最適な加熱を実施することができる。
【００３７】
以上が高周波加熱装置１０ａを使用した場合であるが、次は冷蔵庫１０ｂに関して説明する。
【００３８】
高周波加熱装置１０ａの場合と同じように、顧客は購入商品１の商品情報２ｂを得るためインターネット７に接続されたパソコン９を利用してＷｅｂサーバー４にアクセスし、領収書Ｎｏなどの整理番号を入力することで購入した商品１の情報を取得する。
【００３９】
取得した商品情報２ｂには商品名、数量などとともに商品１の保存情報が記載されている。冷蔵庫１０ｂに保存する食品１ａの場合、冷蔵室１０ｂ１、野菜室１０ｂ２そして冷凍室１０ｂ３のうちその食品１ａに適した保存方法が提示される。この情報はパソコン９からルーター８を介して冷蔵庫１０ｂに送信される。
【００４０】
顧客が間違って冷凍室１０ｂ３に入れるべきものを冷蔵室１０ｂ１に入れると警告音などを発せられるので失敗無く確実に保管することができる。また、このようにしておけば冷蔵室１０ｂ１や冷凍室１０ｂ３などに何時、どんな食品１ａを入れたかが容易にわかる。従って賞味期限の管理などが容易になる。
【００４１】
一度冷蔵庫１０ｂに食品１ａを保存するために冷蔵庫１０ｂで食品情報２ｂを取得している場合は、高周波加熱装置１０ａは冷蔵庫１０ｂから食品情報２ｂを取得することができる。
【００４２】
以上はインターネット７を使用した商品１の商品情報２ｂの取得であったが、次にインターネット７を介さず、その場で直接商品情報２ｂを取得する手段について説明する。
【００４３】
この手段は外部記憶装置５を情報発振装置６に接続しレジスター２で作成した商品情報２ｂを情報発信装置６から外部記憶装置５に送信され記憶されるようにしたものである。
【００４４】
そして、商品１の商品情報２ｂを記憶した外部記憶装置５を直接高周波加熱装置１０ａや冷蔵庫１０ｂもしくはパソコン９に接続し商品１の商品情報２ｂを取得する。このように取得した商品情報２ｂはインターネット７で取得したものと同じ物である。従って、操作もインターネット７で取得した方法と同じであるため家電品１０での操作については省略する。
【００４５】
尚、情報発信装置６と外部記憶装置５と、外部記憶装置５と家電品１０との通信方法として無線方式と有線方式が考えられるがいずれの方式においても本発明品には影響なく使用可能であり、直接関係がないため詳細説明は省力する。
【００４６】
また、顧客が買った商品１の商品情報２ｂをＷｅｂサーバー４に保存して、顧客がダウンロードされるのを待つのではなく、買った顧客のメールアドレス宛に送信することも可能である。
【００４７】
また、冷蔵庫１０ｂは庫内に保存している食品１ａについて商品情報２ｂの食品メーカーのＷｅｂアドレスに定期的に接続して食品１ａに対して最新の安全性を常に確認し、食品１ａが冷蔵庫１０ｂから取り出されたことを認識した場合でも、その取り出された時点での最新の安全性を確認することができる。パソコン９や高周波加熱装置１０ａにおいても同様な機能を持たせることができる。
【００４８】
このように商品１の金額決済時に使用するレジスター２から商品１に関する商品情報２をインターネット７に接続されたＷｅｂサーバー４に送信することにより顧客は食品１ａの管理、調理を効率的に、失敗無く行なうことができる。
【図面の簡単な説明】
【００４９】
【図１】本発明の一実施例のシステムブロック図である。
【図２】本発明の一実施例の高周波加熱装置の外観斜視図である。
【図３】本発明の一実施例の冷蔵庫の外観斜視図である。
【符号の説明】
【００５０】
１・・・商品
２・・・レジスター
２ａ・・レシート
２ｂ・・商品情報
３・・・データベース
４・・・Ｗｅｂサーバー
５・・・外部記憶装置
６・・・情報発信装置
７・・・インターネット
９・・・パソコン
１０・・・家電品
１０ａ・・高周波加熱装置
１０ｂ・・冷蔵庫
【図１】
2005092280.tif 000003
【図２】
2005092280.tif 000004
【図３】
2005092280.tif 000005